(57)【要約】【課題】映像の表示を開始させる操作がされたときに、映像を直ちに表示し得るプロジェクションテレビを提供する。【解決手段】ランプ２１からの光を変調した投射光Ｌを投射する光学エンジン１４と、投射光Ｌを受光して映像を表示するスクリーン１５と、サブディスプレイ４と、主制御部１８とを備え、主制御部１８は、映像の表示停止指示に従ってランプ２１への電力供給を停止したときからランプ２１が発光可能になるまでの所定時間内に映像の表示指示を受けたときには、少なくともランプ２１が発光可能となるまでサブディスプレイ４に映像を表示させる。【選択図】図１
2006217457.tif 000002
【特許請求の範囲】
【請求項１】
光源からの光を変調した投射光を投射する光学エンジンと、前記投射光を受光して映像を表示するスクリーンと、サブディスプレイと、主制御部とを備え、
前記主制御部は、前記映像の表示停止指示に従って前記光源への電力供給を停止したときから当該光源が発光可能になるまでの所定時間内に前記映像の表示指示を受けたときには、少なくとも前記光源が発光可能となるまで前記サブディスプレイに前記映像を表示させるプロジェクションテレビ。
【請求項２】
前記主制御部は、前記所定時間の経過後に前記スクリーンへの前記映像の表示を開始させたときには、前記サブディスプレイでの前記映像の表示を停止させる請求項１記載のプロジェクションテレビ。
【請求項３】
前記主制御部は、前記所定時間の経過後に前記スクリーンへの前記映像の表示を開始させたときには、当該スクリーンの前記映像とは異なる映像を前記サブディスプレイに表示させる請求項１記載のプロジェクションテレビ。
【請求項４】
前記サブディスプレイは記憶部を備え、
前記主制御部は、前記記憶部に記憶されている所定の映像を当該サブディスプレイに表示させる請求項１記載のプロジェクションテレビ。
【発明の詳細な説明】
【技術分野】
【０００１】
本発明は、放電を利用した光源を備えたプロジェクションテレビに関するものである。
【背景技術】
【０００２】
この種のプロジェクションテレビとして、特開平１１−１１９３４０号公報に開示された映像表示装置（テレビ）が知られている。この種のテレビでは、放電を利用した光源（例えば、メタルハライドランプ等の高発光ランプ）が一般的に使用されているが、この種の光源には、電力供給が停止されたときに、その後、電極間に封入されているガスが均一に分散するまでの所定時間（例えば３０秒程度）だけ、次の電力供給を待たなければならないという特性がある。このため、この種のテレビでは、使用者が誤ってリモコンの電源キーを操作して光源への電力供給を一旦停止させたときには、所定時間を経過するまで映像を表示させて楽しむことができないという問題が存在する。この点について、上記公報に開示されているテレビでは、リモコンの電源キーが操作されて電源オフの指示があったときには、画面ミュートおよび音声ミュートを直ちに実行すると共に、遅延時間を経過した後に光源の点灯を停止させている。したがって、上記公報のテレビでは、リモコンの電源キーがユーザによって誤操作されたときには、画面ミュートおよび音声ミュートが行われる。この結果、ユーザは、電源キーの誤操作を直ちに認識でき、しかも遅延時間以内に再度電源キーを操作することによって直ちに映像を表示させることができるため、引き続き映像を楽しむことができる。
【特許文献１】特開平１１−１１９３４０号公報（第２，６頁）
【発明の開示】
【発明が解決しようとする課題】
【０００３】
ところが、上記公報のテレビには、以下の問題点がある。すなわち、このテレビであっても、遅延時間を一旦経過した後は、光源への電力の供給が停止されて光源が消灯する。このため、このテレビには、遅延時間を経過した後においては、たとえ使用者が電源キーを操作するなどの映像を表示させるための操作をしたとしても、映像を表示させて楽しむためには、依然として、上記の所定時間を経過するまで待たなければならないという問題点が存在する。
【０００４】
本発明は、かかる問題点に鑑みてなされたものであり、映像の表示を開始させる操作がされたときに、映像を直ちに表示し得るプロジェクションテレビを提供することを主目的とする。
【課題を解決するための手段】
【０００５】
上記目的を達成すべく本発明に係るプロジェクションテレビは、光源からの光を変調した投射光を投射する光学エンジンと、前記投射光を受光して映像を表示するスクリーンと、サブディスプレイと、主制御部とを備え、前記主制御部は、前記映像の表示停止指示に従って前記光源への電力供給を停止したときから当該光源が発光可能になるまでの所定時間内に前記映像の表示指示を受けたときには、少なくとも前記光源が発光可能となるまで前記サブディスプレイに前記映像を表示させる。
【０００６】
このプロジェクションテレビでは、主制御部が、映像の表示停止指示に従って光源への電力供給を停止したときから光源が発光可能になるまでの所定時間内に映像の表示指示を受けたときには、少なくとも光源が発光可能となるまでサブディスプレイに映像を表示させることにより、封入されているガスが不均一なことに起因して投射光を投射できないためにスクリーンに映像を表示できないときであったとしても、サブディスプレイに所望の映像を直ちに表示させて、その映像を楽しむことができる。
【０００７】
また、本発明に係るプロジェクションテレビは、上記のプロジェクションテレビにおいて、前記主制御部は、前記所定時間の経過後に前記スクリーンへの前記映像の表示を開始させたときには、前記サブディスプレイでの前記映像の表示を停止させる。
【０００８】
このプロジェクションテレビでは、主制御部が、所定時間の経過後にスクリーンへの映像の表示を開始させたときには、サブディスプレイでの映像の表示を停止させることにより、例えばサブディスプレイで消費電力が大きいときに、その電力の供給を自動的に停止させることができ、その結果、通常使用時におけるテレビ全体の消費電力を低減させることができる。
【０００９】
また、本発明に係るプロジェクションテレビは、上記のプロジェクションテレビにおいて、前記主制御部は、前記所定時間の経過後に前記スクリーンへの前記映像の表示を開始させたときには、当該スクリーンの前記映像とは異なる映像を前記サブディスプレイに表示させる。
【００１０】
このプロジェクションテレビでは、主制御部が、所定時間の経過後にスクリーンへの映像の表示を開始させたときには、スクリーンの映像とは異なる映像をサブディスプレイに表示させることにより、スクリーンに所望の映像を表示させて楽しみつつ、サブディスプレイに表示させている他の映像も併せて楽しむことができる。
【００１１】
また、本発明に係るプロジェクションテレビは、上記のプロジェクションテレビにおいて、前記サブディスプレイは記憶部を備え、前記主制御部は、前記記憶部に記憶されている所定の映像を当該サブディスプレイに表示させる。
【００１２】
このプロジェクションテレビでは、主制御部が、記憶部に記憶されている所定の映像をサブディスプレイに表示させることにより、その画像をサブディスプレイに表示させ続けることができる。したがって、このプロジェクションテレビによれば、所定の画像として、例えば、カレンダー画像、写真画像およびメモ画像などを予め記憶部に記憶させておくことにより、サブディスプレイをあたかもカレンダー、写真スタンドおよび伝言板などのように利用することができ、この結果、このプロジェクションテレビの利便性を十分に向上させることができると共に部屋のインテリアの一部としても利用することができる。
【発明を実施するための最良の形態】
【００１３】
以下、添付図面を参照して、本発明に係るプロジェクションテレビの最良の形態について説明する。最初に、プロジェクションテレビ（以下、「テレビ」ともいう）１の構成について、図面を参照して説明する。図１に示すテレビ１は、本体部（メインディスプレイ）２、リモコン３およびサブディスプレイ４を備えている。本体部２は、映像／音声入力部１１、映像処理部１２、素子駆動部１３、光学エンジン１４、スクリーン１５、キー入力処理部１６、通信部１７、主制御部１８、電源部１９、音声処理部２０および音声出力部２１を備えている。
【００１４】
映像／音声入力部１１は、図３に示すように、放送受信部１１ａ、各種映像入力端子１１ｂ〜１１ｅ、切替器１１ｆ、ビデオデコーダ１１ｇ、カードスロット１１ｈ、メモリカードコントローラ１１ｉ、ＨＤＤ（ Hard Disk Drive）１１ｊ、ＪＰＥＧ（Joint Photographic Experts Group）デコーダ１１ｋ、および音声切替部１１ｍを備え、種々の映像信号を映像処理部１２に、種々の音声信号を音声出力部２０に出力可能に構成されている。この場合、放送受信部１１ａは、テレビ放送を受信すると共に主制御部１８によって指定されたチャンネルの映像信号Ｓｂ１を出力する。切替器１１ｆは、主制御部１８の制御に従い、コンポジット映像端子１１ｂ、セパレート映像端子（Ｓ端子）１１ｃ、コンポーネント映像端子１１ｄおよびＤ映像端子１１ｅ等の各種映像入力端子を介して入力した映像信号のうちの１つと、それぞれの映像信号に対応した音声入力端子（図示せず）を介して入力した音声信号のうちの１つとを選択して出力する。ビデオデコーダ１１ｇは、切替器１１ｆから出力される映像信号をデコードして映像信号Ｓｂ２として出力する。メモリカードコントローラ１１ｉは、カードスロット１１ｈに装着されているメモリカード（図示せず）に記憶されているカレンダ画像や写真画像などの静止画像データ（ＪＰＥＧデータ）を読み出すと共に、読み出した静止画像データのＨＤＤ１１ｊへの記憶およびＪＰＥＧデコーダ１１ｋへの出力を実行する。ＪＰＥＧデコーダ１１ｋは、カードスロット１１ｈに装着されているメモリカードやＨＤＤ１１ｊに記憶されている静止画像データを読み出してデコードすることにより映像信号Ｓｂ３を生成する。音声切替部１１ｍは、放送受信部１１ａまたは切替器１１ｆから入力された音声信号を選択して音声信号Ｖｏを生成する。また、映像／音声入力部１１は、各映像信号Ｓｂ１，Ｓｂ２，Ｓｂ３を生成しているときには、生成しているすべての映像信号を映像処理部１２に出力可能に構成されている。映像処理部１２は、主制御部１８の制御に従い、映像／音声入力部１１から出力されている各映像信号Ｓｂ１，Ｓｂ２，Ｓｂ３のうちの１つに基づいて、光学エンジン１４内に配設されている後述の光変調素子を駆動するための駆動データＤ１を生成して素子駆動部１３に出力する。また、映像処理部１２は、主制御部１８の制御に従い、映像／音声入力部１１から出力されている各映像信号Ｓｂ１，Ｓｂ２，Ｓｂ３のうちの１つを副映像信号Ｓｂ４としてサブディスプレイ４に出力する。素子駆動部１３は、駆動データＤ１に基づいて光変調素子用の駆動信号Ｓｄを生成して光学エンジン１４に出力する。音声信号については、映像／音声入力部１１から出力されている音声信号Ｖｏを音声処理部２０にて、主制御部１８の指示によって音量制御処理や高音／低音強調処理などを行い、アンプとスピーカーなどで構成された音声出力部２１に出力する。
【００１５】
光学エンジン１４は、図１に示すように、ランプ２１、ランプ駆動部２２および光変調素子２３を備えている。この場合、ランプ２１（本発明における光源）は、放電を利用したランプ、例えばメタルハライドランプ等の高発光ランプで構成されている。また、ランプ２１は、電力の供給が停止された後には、電力の供給停止時点から、電極間に封入されているガスが均一に分散する時点までの所定時間Ｔ１の経過後に電力の再供給を行うことを条件として正常に点灯するという特性を有している。ランプ駆動部２２は、主制御部１８の制御に従い、ランプ２１の発光に必要な電力を供給することによってランプ２１を駆動する（発光させる）。光変調素子２３は、一例として、デジタルマイクロミラーデバイスや液晶ライトバルブで構成されて、ランプ２１からの光を駆動信号Ｓｄに基づいて変調する。この場合、光変調素子２３によって変調された投射光Ｌは、投射レンズ（図示せず）によって拡大され、かつミラー（図示せず）によって反射されてスクリーン１５に投射される。スクリーン１５は、本体部２の前面側に配設されて、投射光Ｌを受光して映像Ｐｔ１を表示する（図２参照）。
【００１６】
キー入力処理部１６は、受光部を備えて構成されて、リモコン３から出力された赤外線信号Ｓｉを受光して光電変換することにより、リモコン３による操作内容を示す操作信号Ｓｏを主制御部１８に出力する。通信部１７は、主制御部１８の制御に従い、サブディスプレイ４に対してサブディスプレイ４の動作内容を示す作動信号Ｓ１を送信する。この場合、通信部１７による検出信号Ｓ１の送信方法としては、無線および有線など各種の送信方法を採用することができる。主制御部１８は、キー入力処理部１６から出力された操作信号Ｓｏに従い、表示開始処理、表示停止処理および映像選択処理などを実行する。電源部１９は、主制御部１８の制御に従い、例えば、交流電源（商用電源）を基にして、テレビ１の内部に配設されている各構成要素を作動させるための電力を生成する。また、電源部１９は、生成した電力をサブディスプレイ４にも供給する。
【００１７】
リモコン３は、図２に示すように、本体部２とは別体に形成されている。また、リモコン３は、電源スイッチ８１ａ、切替スイッチ８１ｂおよび選局スイッチ８１ｃなどの各種の操作スイッチが配設されて構成され、これらの操作スイッチが操作されたときに、各操作スイッチに対応する赤外線信号Ｓｉを出力する。
【００１８】
サブディスプレイ４は、図１に示すように、映像処理部４１、表示部４２、通信部４３、電源部４４、キャプチャ部４５、記憶部４６および制御部４７を備え、一例として、本体部２とは別体に構成されている。また、サブディスプレイ４は、図２に示すように、本体部２の上面に設置されている。この場合、映像処理部４１は、制御部４７の制御に従い、本体部２から出力された副映像信号Ｓｂ４およびキャプチャ部４５から出力された映像信号Ｓ２の一方に基づいて表示用信号Ｓ３を生成する。表示部４２は、表示用信号Ｓ３に基づいて映像Ｐｔ２を表示する（図２参照）。また、表示部４２は、液晶ディスプレイ、有機ＥＬディスプレイおよびプラズマディスプレイなどのように、映像Ｐｔ２の表示停止状態から表示状態への移行に要する時間（表示開始までに要する時間）が本体部２よりも短く、例えばスクリーン１５よりも小形のディスプレイ装置を用いて構成されている。通信部４３は、本体部２側の通信部１７を介して主制御部１８から送信される作動信号Ｓ１を受信して、制御部４７に出力する。電源部４４は、制御部４７の制御に従い、電源部１９から供給される電力に基づいて、サブディスプレイ４の内部に配設されている各構成要素を作動させるための電力を生成する。キャプチャ部４５は、制御部４７の制御に従い、副映像信号Ｓｂ４をキャプチャすることにより、表示部４２に表示されている映像を静止画（または動画）として記憶部４６に記憶させる。また、キャプチャ部４５は、制御部４７の制御に従い、キャプチャした静止画（または動画）を記憶部４６から読み出して映像処理部４１に映像信号Ｓ２として出力する。制御部４７は、受信した作動信号Ｓ１に従い、映像処理部４１、電源部４４およびキャプチャ部４５の動作を制御する。なお、本体部２におけるスクリーン１５以外の部位にサブディスプレイ４を組み込むことにより、本体部２とサブディスプレイ４とを一体化する構成を採用することもできる。
【００１９】
次に、テレビ１の全体的な動作について、図４および図５を参照して説明する。
【００２０】
このテレビ１では、スクリーン１５に映像Ｐｔ１が表示されている状態において、リモコン３の電源スイッチ８１ａが操作された際には、主制御部１８が、キー入力処理部１６からの操作信号Ｓｏ（本発明における映像の表示停止指示）に従い、図３に示す表示停止処理５０を実行する。この表示停止処理５０では、主制御部１８は、まず、ランプ駆動部２２を制御してランプ２１の発光を停止させると共に、ランプ２１の発光を停止させた時点からの経過時間Ｔの計測を開始する（ステップ５１）。次いで、主制御部１８は、映像処理部１２に対して、光変調素子２３をイニシャライズするための（正常にオフさせるための）駆動データＤ１を生成させて素子駆動部１３に出力させる。これに応じて、素子駆動部１３は、この駆動データＤ１に基づいて駆動信号Ｓｄを生成して光変調素子２３を駆動することにより、光変調素子２３をイニシャライズする（ステップ５２）。これにより、本体部２での映像Ｐｔ１の表示が停止される。次いで、主制御部１８は、電源部１９を制御することにより、キー入力処理部１６、通信部１７、主制御部１８およびサブディスプレイ４を除く他の構成要素（光学エンジン１４など）に対する電力の供給を停止させる（ステップ５３）。
【００２１】
続いて、主制御部１８は、通信部１７を介してサブディスプレイ４に表示を停止させる旨の作動信号Ｓ１を送信することにより、サブディスプレイ４での映像の表示を停止させる（ステップ５４）。この場合、サブディスプレイ４では、制御部４７が、通信部４３を介して受信した作動信号Ｓ１に従い、映像処理部４１を制御することにより、表示部４２での映像の表示を停止させる。このとき、音声処理部２０および音声出力部２１への電力の供給が停止されるため音声も停止する。また、制御部４７は、電源部４４を制御することにより、通信部４３および電源部４４を除くサブディスプレイ４内の他の構成要素に対する電力の供給を停止させる。以上により、表示停止処理５０が完了する。
【００２２】
上記の表示停止処理の後、リモコン３の電源スイッチ８１ａが操作された際には、主制御部１８は、キー入力処理部１６からの操作信号Ｓｏ（本発明における映像の表示指示）に従い、表示開始処理６０を実行する。この表示開始処理６０では、主制御部１８は、まず、電源部１９を制御することにより、電力の供給が停止されている本体部２内の各構成要素（光学エンジン１４、音声処理部２０、音声出力部２１など）に対する電力の供給を開始する（ステップ６１）。次いで、主制御部１８は、映像／音声入力部１１を制御して、直前の電源切断時（映像停止時）と同じ映像信号（映像信号Ｓｂ１〜Ｓｂ３）を映像処理部１２に出力させ、また同様に、直前の電源切断時と同じ音声信号Ｖｏを音声処理部２０、音声出力部２１に出力させる（ステップ６２）。続いて、主制御部１８は、ランプ２１に対する電力停止時点からの経過時間Ｔが所定時間Ｔ１に達しているか否かを判別する（ステップ６３）。この判別の結果、経過時間Ｔが所定時間Ｔ１に達しているときには、主制御部１８は、ランプ駆動部２２を制御して、発光に必要な電力のランプ２１への供給を開始する。したがって、ランプ２１の発光が開始される（ステップ６４）。この場合、ランプ２１の電極間に封入されているガスが均一に分散しているため、ランプ２１は、短時間で点灯状態に移行する。次いで、主制御部１８は、映像処理部１２等を制御して、直前の電源切断時（映像停止時）と同じ映像を本体部２のスクリーン１５に表示させる（ステップ６５）。具体的には、主制御部１８は、映像処理部１２を制御して、直前の電源切断時（映像停止時）と同じ映像信号（映像信号Ｓｂ１〜Ｓｂ３のうちの１つ）に基づく駆動データＤ１を素子駆動部１３に出力させる。これに応じて、素子駆動部１３は、駆動データＤ１に基づいて駆動信号Ｓｄを生成して光変調素子２３を駆動する。この結果、光変調素子２３がランプ２１からの光を駆動信号Ｓｄに基づいて変調し、この変調された投射光Ｌがスクリーン１５に投射されるため、スクリーン１５に映像が表示される。これにより、本体部２での映像の表示が開始される。続いて、主制御部１８は、サブディスプレイ４での映像の表示が開始されているときには、映像の表示を停止させる（ステップ６６）。この際には、サブディスプレイ４は、映像の表示を停止している状態のため、映像の表示停止を省略する。以上により、表示開始処理６０が完了する。
【００２３】
一方、主制御部１８は、ステップ６３においてランプ２１に対する電力停止からの経過時間Ｔが所定時間Ｔ１に達していないと判別したときには、サブディスプレイ４での映像を表示しているか否かを判別する（ステップ６７）。この判別の結果、サブディスプレイ４によって映像が表示されていないときには、主制御部１８は、直前の電源切断時（映像停止時）にスクリーン１５に表示されていた映像と同じ映像をサブディスプレイ４に表示させる（ステップ６８）。具体的には、まず、主制御部１８は、映像処理部１２を制御して、直前の電源切断時（映像停止時）と同じ映像信号（映像信号Ｓｂ１〜Ｓｂ３のうちの１つ）を副映像信号Ｓｂ４としてサブディスプレイ４に出力させる。次いで、主制御部１８は、通信部１７を介してサブディスプレイ４に表示を開始させる旨の作動信号Ｓ１を送信する。サブディスプレイ４では、制御部４７が、通信部４３を介して受信した作動信号Ｓ１に従い、電源部４４を制御することにより、電力の供給が停止されていたサブディスプレイ４内の各構成要素に対して電力を供給させる。また、制御部４７は、映像処理部４１を制御することにより、本体部２から出力されている副映像信号Ｓｂ４に基づいて表示用信号Ｓ３を生成させる。これに応じて、表示部４２は、表示用信号Ｓ３に基づく映像の表示を開始する。したがって、本体部２のランプ２１を点灯させることができない状態であったとしても、本体部２で表示させようとする映像をサブディスプレイ４の表示部４２に短時間で表示させて楽しむことができる。
【００２４】
その後、主制御部１８は、ステップ６３，６７を繰り返して、ランプ２１に対する電力停止時点からの経過時間Ｔが所定時間Ｔ１に達したと判別したときには、上記したステップ６４，６５，６６を順次実行することにより、本体部２での映像の表示を開始する。この際には、サブディスプレイ４は映像の表示を開始しているため、主制御部１８は、ステップ６６において、通信部１７を介してサブディスプレイ４に表示を停止させる旨の作動信号Ｓ１を送信することにより、上記したステップ５４と同様にして、サブディスプレイ４での映像の表示を停止させて、表示開始処理６０を完了させる。
【００２５】
また、このテレビ１では、スクリーン１５または表示部４２に映像が表示されている状態において、リモコン３の切替スイッチ８１ｂまたは選局スイッチ８１ｃが操作された際には、主制御部１８が、キー入力処理部１６からの操作信号Ｓｏ（映像の切替指示）に従い、映像選択処理を実行する。この映像選択処理では、主制御部１８は、切替スイッチ８１ｂが操作された際には、操作信号Ｓｏに従い、映像／音声入力部１１の切替器および映像処理部１２を制御することにより、放送受信部からの映像信号Ｓｂ１、コンポジット映像端子等の各種映像入力端子を介して入力した複数の映像信号（映像信号Ｓｂ２）、およびメモリカード等からの映像信号Ｓｂ３のうちの１つに基づく映像をスクリーン１５または表示部４２に表示させる。また、放送受信部からの映像信号Ｓｂ１に基づく映像をスクリーン１５または表示部４２に表示させている状態において、選局スイッチ８１ｃが操作された際には、操作信号Ｓｏに従い、映像／音声入力部１１の放送受信部を制御することにより、選局スイッチ８１ｃで指定されたチャンネルの映像信号Ｓｂ１を放送受信部から出力させる。これにより、リモコン３の切替スイッチ８１ｂまたは選局スイッチ８１ｃを操作することにより、所望の映像をスクリーン１５または表示部４２に表示させて楽しむことができる。
【００２６】
さらに、このテレビ１では、表示部４２に映像が表示されている状態において、リモコン３のキャプチャスイッチ８１ｄが操作された際には、主制御部１８が、通信部１７を介してサブディスプレイ４にキャプチャ動作を実行させる旨の作動信号Ｓ１を送信する。この場合、サブディスプレイ４では、制御部４７が、通信部４３を介して受信した作動信号Ｓ１に従い、キャプチャ部４５を制御することにより、副映像信号Ｓｂ４をキャプチャして記憶部４６に記憶させるキャプチャ動作を実行する。これにより、キャプチャ動作実行時において、表示部４２に表示されている所定の映像が静止画として（または動画として）記憶部４６に記憶される。その後、リモコン３のキャプチャ画像表示スイッチ８１ｅが操作された際には、主制御部１８は、光学エンジン１４などへの電力の供給開始から所定時間Ｔ１を経過するまでの間を除き、本体部２側での映像の表示が行われているか停止しているかに拘わらず、通信部１７を介してサブディスプレイ４にキャプチャ画像表示動作を実行させる旨の作動信号Ｓ１を送信する。この場合、サブディスプレイ４では、制御部４７が、通信部４３を介して受信した作動信号Ｓ１に従い、キャプチャ部４５を制御することにより、記憶部４６から所定の画像（静止画または動画）を読み出すと共に映像信号Ｓ２に変換して映像処理部４１に出力させる。映像処理部４１は、キャプチャ部４５から出力される映像信号Ｓ２に基づいて表示用信号Ｓ３を生成して、表示部４２に出力する。これにより、キャプチャ動作実行時に記憶部４６に記憶された所定の映像が表示部４２に表示される。また、キャプチャによる所定の画像に代えて、予め記憶部４６に記憶させた所定の画像（静止画または動画）を表示部４２に表示させることもできる。
【００２７】
このように、このテレビ１によれば、主制御部１８が、キー入力処理部１６からの操作信号Ｓｏ（映像の表示停止指示）に従ってランプ２１への電力供給を停止した時点からランプ２１が発光可能になる時点までの所定時間Ｔ１内に操作信号Ｓｏ（映像の表示指示）を受けたときには、少なくともランプ２１が発光可能となる時点（所定時間Ｔ１を経過する時点）までサブディスプレイ４の表示部４２に映像（本体部２に表示させる映像と同一の映像）を表示させることにより、封入されているガスが不均一なことに起因してランプ２１を点灯できないために本体部２のスクリーン１５に映像を表示できないときであったとしても、サブディスプレイ４に所望の映像を直ちに表示させて、その映像を楽しむことができる。
【００２８】
また、所定時間Ｔ１の経過後にスクリーン１５への映像の表示を開始させたときに、主制御部１８がサブディスプレイ４での映像の表示を停止させることにより、表示部４２のように消費電力の大きな構成要素に対する電力の供給を自動的に停止させることができ、その結果、通常使用時におけるテレビ１全体の消費電力を低減させることができる。
【００２９】
また、主制御部１８が、記憶部４６に記憶されている所定の画像（静止画または動画）をサブディスプレイ４に表示させることにより、本体部２側の電源がオフされた状態、つまりランプ２１への電力供給が停止して本体部２での映像の表示が停止し、これによって本体部２から副映像信号Ｓｂ４が出力されていない状態のときであっても、少なくとも本体部２側から電力が供給されてサブディスプレイ４が作動できる状態である限り、主制御部１８が、映像の表示停止指示を受けてランプ２１への電力供給を停止しているときに、制御部４７に対して、映像処理部４１によってメモリに記憶された所定の映像をサブディスプレイ４に表示させることにより、その所定の画像を表示部４２に表示させ続けることができる。したがって、表示部４２に表示させる所定の画像として、例えば、カレンダー画像、写真画像およびメモ画像などを予めキャプチャしておくことにより、サブディスプレイ４をあたかもカレンダー、写真スタンドおよび伝言板などのように利用することができ、この結果、テレビ１の利便性を十分に向上させることができると共に部屋のインテリアの一部としても利用することができる。
【００３０】
なお、本発明は、上記の構成に限定されない。例えば、スクリーン１５への映像の表示を開始させたときにサブディスプレイ４での映像の表示を停止させる例について上記したが、スクリーン１５への映像の表示を開始させた後においても、サブディスプレイ４に映像を表示させることもできる。この場合、サブディスプレイ４には、スクリーン１５に表示されている映像と同一の映像を表示させることもできる。この構成によれば、２つの表示部（スクリーン１５と表示部４２）で同一の画像を表示させて楽しむことができる。
【００３１】
一方、スクリーン１５の映像とは異なる映像を表示させることもできる。この場合、スクリーン１５での映像と異なる映像をサブディスプレイ４に表示させるときには、主制御部１８は、映像処理部１２を制御することにより、駆動データＤ１の基となる映像信号とは異なる映像信号を副映像信号Ｓｂ４としてサブディスプレイ４に出力する。具体的には、主制御部１８は、スクリーン１５に映像信号Ｓｂ１に基づくテレビ放送の映像を表示させているときには、副映像信号Ｓｂ４として映像信号Ｓｂ２をサブディスプレイ４に出力することにより、コンポジット映像端子等の各種映像入力端子のいずれかに接続されている映像機器（ＤＶＤ再生装置など）において再生されている映像をサブディスプレイ４に表示させることができる。また、主制御部１８は、副映像信号Ｓｂ４として映像信号Ｓｂ３をサブディスプレイ４に出力することにより、ＨＤＤに記憶されているカレンダ画像や写真画像などの画像をサブディスプレイ４に表示させることができる。このように異なる映像をサブディスプレイ４に表示させることにより、スクリーン１５に所望の映像を表示させて楽しみつつ、サブディスプレイ４に表示させている他の映像も併せて楽しむことができる。
【００３２】
また、映像／音声入力部１１にＭＰＥＧ（Moving Picture Experts Group）デコーダを設けて、ＨＤＤに記憶させておいた動画像データに基づく映像をサブディスプレイ４やスクリーン１５に表示させる構成を採用することもできる。また、映像／音声入力部１１に放送受信部を複数配設して、スクリーン１５およびサブディスプレイ４にそれぞれ異なるテレビ放送の映像を同時に表示させる構成を採用することもできる。また、ＬＡＮ等のネットワークに接続するためのインターフェースを映像／音声入力部１１に配設することにより、電子メールを着信した旨を示す映像や、同じネットワークに接続されている他の機器の状態を示す映像をサブディスプレイ４に表示させる構成を採用することもできる。この構成によれば、スクリーン１５に所望の映像を表示させて楽しみつつ、サブディスプレイ４に表示させている映像に基づいて種々の情報を確認することができる。
【図面の簡単な説明】
【００３３】
【図１】テレビ１の構成を示すブロック図である。
【図２】テレビ１の外観正面図である。
【図３】映像／音声入力部１１の構成を示すブロック図である。
【図４】表示停止処理５０のフローチャートである。
【図５】表示開始処理６０のフローチャートである。
【符号の説明】
【００３４】
１  テレビ、４  サブディスプレイ、１４  光学エンジン、１５  スクリーン、１８  主制御部、２１  ランプ、４２  表示部、Ｌ  投射光
【図１】
2006217457.tif 000003
【図２】
2006217457.tif 000004
【図３】
2006217457.tif 000005
【図４】
2006217457.tif 000006
【図５】
2006217457.tif 000007